(57)【要約】【課題】用紙処理装置の調整作業において、作業者の負担を軽減すること。【解決手段】画像形成システム１において、製本装置３００にサンプル用の用紙処理を実行させて出力させる制御部１１０と、製本装置３００が実行可能な一乃至複数の用紙処理の設定の調整方法が記憶された記憶部３２０と、を備え、制御部１１０は、サンプルの出力時に記憶部３２０を参照し、当該サンプルに対応した用紙処理に関する調整方法をサンプルに印字する。【選択図】図４
2015058636.tif 000002
【特許請求の範囲】
【請求項１】
用紙に一乃至複数の用紙処理を実行可能な用紙処理装置と接続された画像形成装置において、
前記用紙処理装置にサンプル用紙として用紙処理を実行させて出力させる制御部と、
前記用紙処理装置が実行可能な一乃至複数の用紙処理の設定の調整方法が記憶された記憶部と、を備え、
前記制御部は、前記サンプル用紙の出力時に前記記憶部を参照し、当該サンプル用紙に対応した用紙処理に関する前記調整方法を前記サンプル用紙に印字させることを特徴とする画像形成装置。
【請求項２】
前記制御部は、
前記サンプル用紙を予め設定された基準値から変更して出力した場合、前記調整方法として、前記基準値からの変更量が認識可能な調整値を前記サンプル用紙に印字させることを特徴とする請求項１に記載の画像形成装置。
【請求項３】
前記サンプル用紙の出力の実行指示を入力する操作部を備え、
前記制御部は、前記操作部に入力された前記サンプル用紙の出力の実行指示に基づいて、前記用紙処理装置に前記サンプル用紙を出力させることを特徴とする請求項１又は２に記載の画像形成装置。
【請求項４】
前記用紙処理は、用紙を折曲する折り処理を含み、
前記制御部は、前記調整方法を、前記サンプル用紙における折り位置と重ならない位置に印字させることを特徴とする請求項１〜３の何れか一項に記載の画像形成装置。
【請求項５】
前記制御部は、前記サンプル用紙における前記折り位置により分割された複数の面のうち、調整対象となる面に、当該調整対象となる面の範囲を示す範囲情報を印字させることを特徴とする請求項４に記載の画像形成装置。
【請求項６】
前記制御部は、前記サンプル用紙における前記折り位置により分割された複数の面のうち、調整対象外となる面に、前記用紙処理装置の調整箇所を示す調整箇所情報を印字させることを特徴とする請求項４又は５に記載の画像形成装置。
【請求項７】
前記調整値は複数の値を設定可能であって、
前記制御部は、前記調整値が複数の値設定された場合、前記用紙処理装置に、複数の前記調整値を反映した前記サンプル用紙を連続して出力させることを特徴とする請求項２〜６の何れか一項に記載の画像形成装置。
【請求項８】
前記調整方法には、複数の前記調整値を反映した前記サンプル用紙のそれぞれを識別可能とする識別情報が含まれることを特徴とする請求項７に記載の画像形成装置。
【請求項９】
請求項１〜８の何れか一項に記載の画像形成装置と、
前記画像形成装置と接続され、用紙に一乃至複数の用紙処理を実行可能な用紙処理装置と、
を備えたことを特徴とする画像形成システム。
【発明の詳細な説明】
【技術分野】
【０００１】
本発明は、画像形成装置及び画像形成システムに関する。
【背景技術】
【０００２】
従来、ＭＦＰ（Multi Function Peripherals）、複写機、プリンター等の画像形成装置に、各種の用紙処理を行う用紙処理装置を接続した画像形成システムが知られている。
用紙処理装置としては、例えば、画像形成後の用紙に折り処理、綴じ処理、断裁処理等の用紙処理を行うものが知られている。
こうした画像形成システムでは、用紙処理した用紙の仕上がり状態を調整する調整作業が行われる。調製作業としては、一旦サンプル用紙を出力させて作業者が目視確認し、設定を変更調整した後、再度サンプル用紙を出力させて作業者が目視確認する、という作業をくり返すのが一般的であり、このため、調整作業は手間のかかるものであった。
【０００３】
調整作業を容易にする技術として、例えば、特許文献１には、中折り処理する用紙処理装置において、用紙搬送方向の中心位置の基準折り線を印字した用紙を中折り処理することにより、印字された基準折り線と用紙の折り目との位置ずれを識別可能とするものが提案されている。
【先行技術文献】
【特許文献】
【０００４】
【特許文献１】特開２００２−１２３６４号公報
【発明の概要】
【発明が解決しようとする課題】
【０００５】
しかしながら、上記特許文献１に記載の技術は、中折り処理において、用紙搬送方向の中心位置の基準折り線と、実際の用紙の折り目との位置ずれを識別可能とするだけである。よって、位置ずれを改善するための具体的な調整方法として、装置内部の調整箇所や調整値は用紙処理装置の機種ごとに異なるものであるが、これらを認識することができず、不慣れな作業者等であれば、やはり調整作業に手間がかかる。
【０００６】
本発明の課題は、用紙処理装置の調整作業において、作業者の負担を軽減することのできる画像形成装置及び画像形成システムを提供することである。
【課題を解決するための手段】
【０００７】
上記課題を解決するため、
請求項１に記載の発明は、画像形成装置において、
用紙に一乃至複数の用紙処理を実行可能な用紙処理装置と接続された画像形成装置において、
前記用紙処理装置にサンプル用紙として用紙処理を実行させて出力させる制御部と、
前記用紙処理装置が実行可能な一乃至複数の用紙処理の設定の調整方法が記憶された記憶部と、を備え、
前記制御部は、前記サンプル用紙の出力時に前記記憶部を参照し、当該サンプル用紙に対応した用紙処理に関する前記調整方法を前記サンプル用紙に印字させることを特徴とする。
【０００８】
また、請求項２に記載の発明は、請求項１に記載の画像形成装置において、
前記制御部は、
前記サンプル用紙を予め設定された基準値から変更して出力した場合、前記調整方法として、前記基準値からの変更量が認識可能な調整値を前記サンプル用紙に印字させることを特徴とする。
【０００９】
また、請求項３に記載の発明は、請求項１又は２に記載の画像形成装置において、
前記サンプル用紙の出力の実行指示を入力する操作部を備え、
前記制御部は、前記操作部に入力された前記サンプル用紙の出力の実行指示に基づいて、前記用紙処理装置に前記サンプル用紙を出力させることを特徴とする。
【００１０】
また、請求項４に記載の発明は、請求項１〜３の何れか一項に記載の画像形成装置において、
前記用紙処理は、用紙を折曲する折り処理を含み、
前記制御部は、前記調整方法を、前記サンプル用紙における折り位置と重ならない位置に印字させることを特徴とする。
【００１１】
また、請求項５に記載の発明は、請求項４に記載の画像形成装置において、
前記制御部は、前記サンプル用紙における前記折り位置により分割された複数の面のうち、調整対象となる面に、当該調整対象となる面の範囲を示す範囲情報を印字させることを特徴とする。
【００１２】
また、請求項６に記載の発明は、請求項４又は５に記載の画像形成装置において、
前記制御部は、前記サンプル用紙における前記折り位置により分割された複数の面のうち、調整対象外となる面に、前記用紙処理装置の調整箇所を示す調整箇所情報を印字させることを特徴とする。
【００１３】
また、請求項７に記載の発明は、請求項２〜６の何れか一項に記載の画像形成装置において、
前記調整値は複数の値を設定可能であって、
前記制御部は、前記調整値が複数の値設定された場合、前記用紙処理装置に、複数の前記調整値を反映した前記サンプル用紙を連続して出力させることを特徴とする。
【００１４】
また、請求項８に記載の発明は、請求項７に記載の画像形成装置において、
前記調整方法には、複数の前記調整値を反映した前記サンプル用紙のそれぞれを識別可能とする識別情報が含まれることを特徴とする。
【００１５】
また、請求項９に記載の発明は、画像形成システムにおいて、
請求項１〜８の何れか一項に記載の画像形成装置と、
前記画像形成装置と接続され、用紙に一乃至複数の用紙処理を実行可能な用紙処理装置と、
を備えたことを特徴とする。
【発明の効果】
【００１６】
本発明によれば、用紙処理装置の調整作業において、作業者の負担を軽減することができる。即ち、用紙処理装置の調整作業を容易にし、調整時間の短縮を図ることができる。
【図面の簡単な説明】
【００１７】
【図１】本発明の実施の形態に係る画像形成システムの構成を示す図である。
【図２】画像形成システムの機能構成を示すブロック図である。
【図３】三つ折りのサンプル用紙の一例を示す図である。
【図４】図３のサンプル用紙を展開した状態の一例を示す図である。
【図５】画像形成システムのサンプル用紙出力処理を示すフローチャートである。
【発明を実施するための形態】
【００１８】
以下、本発明の実施形態について図面を参照して説明する。ただし、発明の範囲は、図示例に限定されない。
図１に、本実施の形態における画像形成システム１の概略構成を示す。
図１に示すように、画像形成システム１は、画像形成装置１００、ポストインサート装置２００、製本装置（用紙処理装置）３００、ステープル装置４００、を備えて構成されている。
【００１９】
画像形成装置１００は、操作部１５０、表示部１６０、画像読取部１７０、画像形成部１８０等を備え、用紙に画像を形成する。画像形成後の用紙は、ポストインサート装置２００に排出される。
【００２０】
ポストインサート装置２００は、用紙挿入トレイ２４１，２４２を備え、用紙挿入トレイ２４１，２４２に載置された用紙を、画像形成装置１００から排出された複数の用紙の間に挿入する。
【００２１】
製本装置３００は、画像形成装置１００により画像形成された用紙又はポストインサート装置２００により挿入された用紙に折り処理、中綴じ処理、断裁処理等の用紙処理を施し、処理後の用紙をスタッカー３８０の製本トレイ３８１，３８２、排紙トレイ３９０又はステープル装置４００に排出する。
【００２２】
ステープル装置４００は、製本装置３００から排出された用紙に必要に応じて平綴じを行い、用紙を排紙トレイ４６０に排出する。
【００２３】
図２は、画像形成システム１を構成する各装置の機能的構成を示すブロック図である。
画像形成装置１００は、制御部１１０、記憶部１２０、通信部１３０、外部ＩＦ（InterFace）部１４０、操作部１５０、表示部１６０、画像読取部１７０、画像形成部１８０等を備える。
【００２４】
制御部１１０は、操作部１５０又は外部ＩＦ部１４０から入力される指示に応じて、画像形成装置１００の各部を統括的に制御する。制御部１１０は、ＣＰＵ（Central Processing Unit）、ＲＯＭ（Read Only Memory）、ＲＡＭ（Random Access Memory）等を備えており、ＣＰＵは、ＲＯＭに格納されたプログラムを読み出し、ＲＡＭ内のワークエリアに展開し、プログラムとの協働によって各種処理を実行する。
【００２５】
制御部１１０は、例えば、操作部１５０からサンプル用紙出力モードの実行を指示する操作信号が出力されると、サンプル用紙出力処理を実行する。
サンプル用紙出力処理とは、製本装置３００等に用紙処理を実行させて、その用紙処理の見本となる用紙（サンプル用紙）を出力させる処理である。
制御部１１０は、操作部１５０からサンプル用紙出力モードの実行を指示する操作信号が出力されると、通信部１３０を介して、製本装置３００等に、サンプル用紙を出力させる旨の指示を送信する。
サンプル用紙出力モードとしては、サンプル用紙を出力する用紙処理の設定を変更しないモード（第１モード）か、サンプル用紙を出力する用紙処理の設定を任意で変更するモード（第２モード）かを、操作部１５０への操作により選択することができる。
第１モードでは、予め設定されたデフォルト値（基準値）に従って用紙処理がなされたサンプル用紙が出力される。
第２モードでは、作業者が任意で設定した各種の設定（調整値等）に従って用紙処理がなされたサンプル用紙が出力される。
また、第２モードにおいて、複数の調整値が設定された場合には、制御部１１０は、各調整値を反映させたサンプル用紙を連続して出力させる。
【００２６】
また、制御部１１０は、サンプル用紙の出力時に記憶部３２０（後述）を参照し、当該サンプル用紙に対応した用紙処理に関する調整方法をサンプル用紙に印字させる。
ここで、調整方法とは、用紙処理に関する各種の設定の仕方を示すものであって、用紙処理の設定作業を行う作業者に、用紙処理の設定の仕方を調べる等の手間を省かせるための支援情報である。調整方法の具体例については後述する。
【００２７】
記憶部１２０は、ハードディスクやフラッシュメモリー等により構成され、画像形成装置１００が実行する各種処理で使用するデータや、画像形成装置１００が実行する各種処理により生成されたデータ等を記憶する。
【００２８】
通信部１３０は、ポストインサート装置２００、製本装置３００、ステープル装置４００との間でデータの送受信を行う。
【００２９】
外部ＩＦ部１４０は、ＬＡＮ（Local Area Network）等の通信ネットワークに接続して、ＰＣ（Personal Computer）等の外部装置との間でデータ通信を行うためのインターフェースである。
【００３０】
操作部１５０は、表示部１６０の表示画面上を覆うように形成されたタッチパネルや、数字ボタン、スタートボタン等の各種操作ボタンを備え、作業者の操作に基づく各種の操作信号を制御部１１０に出力する。
例えば、操作部１５０は、製本装置３００等に、サンプル用紙として用紙処理を実行させて出力させるサンプル用紙出力モードの実行指示を入力する際に操作される。
また、操作部１５０は、サンプル用紙出力モードの第２モードにおいて、用紙処理に関する各種の設定（調整値等）を入力する際に操作される。
【００３１】
表示部１６０は、ＬＣＤ（Liquid Crystal Display）により構成され、制御部１１０から入力される表示信号の指示に従って、表示画面上に各種操作ボタンや装置の状態表示、各機能の動作状況等の表示を行う。
例えば、表示部１６０は、サンプル用紙出力モードの実行指示を入力する際や、サンプル用紙出力モードの第２モードにおいて用紙処理に関する各種の設定を入力する際に利用される設定画面（図示省略）の表示を行う。
【００３２】
画像読取部１７０は、ＡＤＦ（Auto Document Feeder）、光源、ＣＣＤ（Charge Coupled Device）イメージセンサ、Ａ／Ｄ変換器等により構成される。ＡＤＦは、原稿トレイに載置された原稿をコンタクトガラスに搬送する。
画像読取部１７０は、制御部１１０の制御により、光源から原稿へ照明走査した光の反射光を結像して光電変換することにより原稿の画像をＲＧＢ信号として読み取り、読み取った画像をＡ／Ｄ変換して画像データを生成する。
【００３３】
画像形成部１８０は、制御部１１０の制御により、画像読取部１７０により生成された画像データ、外部ＩＦ部１４０により受信された画像データ等の各種データに基づいて、用紙上に画像形成を行う。画像形成部１８０は、電子写真方式の画像形成を行うものであり、感光体ドラム、感光体ドラムの帯電を行う帯電部、画像データに基づいて感光体ドラム表面を露光走査する露光部、感光体ドラムにトナーを付着させる現像部、感光体ドラム上に形成されたトナー像を用紙に転写する転写部、用紙上に形成されたトナー像を定着させる定着部等から構成される。
【００３４】
ポストインサート装置２００は、制御部２１０、記憶部２２０、通信部２３０、用紙挿入部２４０等を備える。
【００３５】
制御部２１０は、ポストインサート装置２００の各部を統括的に制御する。制御部２１０は、ＣＰＵ、ＲＯＭ、ＲＡＭ等を備えており、ＣＰＵは、ＲＯＭに格納されたプログラムを読み出し、ＲＡＭ内のワークエリアに展開し、プログラムとの協働によって各種処理を実行する。
【００３６】
記憶部２２０は、ハードディスクやフラッシュメモリー等により構成され、ポストインサート装置２００が実行する各種処理で使用するデータや、ポストインサート装置２００が実行する各種処理により生成されたデータ等を記憶する。
【００３７】
通信部２３０は、画像形成装置１００、製本装置３００、ステープル装置４００との間でデータの送受信を行う。
【００３８】
用紙挿入部２４０は、用紙挿入トレイ２４１，２４２（図１参照）に載置された用紙を、画像形成装置１００からポストインサート装置２００に排出された用紙の間に挿入する。
【００３９】
製本装置３００は、制御部３１０、記憶部３２０、通信部３３０、折り処理部３４０、中綴じ処理部３５０、断裁処理部３６０等を備える。
【００４０】
制御部３１０は、製本装置３００の各部を統括的に制御する。制御部３１０は、ＣＰＵ、ＲＯＭ、ＲＡＭ等を備えており、ＣＰＵは、ＲＯＭに格納されたプログラムを読み出し、ＲＡＭ内のワークエリアに展開し、プログラムとの協働によって各種処理を実行する。
【００４１】
記憶部３２０は、ハードディスクやフラッシュメモリー等により構成され、製本装置３００が実行する各種処理で使用するデータや、製本装置３００が実行する各種処理により生成されたデータ等を記憶する。
具体的に、記憶部２２０には、製本装置３００において実施可能な用紙処理や、製本装置３００が実行する用紙処理の設定の調整方法が記憶されている。
【００４２】
通信部３３０は、画像形成装置１００、ポストインサート装置２００、ステープル装置４００との間でデータの送受信を行う。
【００４３】
折り処理部３４０は、用紙に対して、中折り（二つ折り）、三つ折り、Ｚ折り等の折り処理を行う。中折りでは、用紙は１／２のサイズになり、三つ折り、Ｚ折りでは、用紙は約１／３のサイズになる。
【００４４】
折り処理部３４０は、サンプル用紙出力モードにおいて中折り又は三つ折りを行う際に、用紙の画像が形成された面が内側になるように折り処理を行う。
【００４５】
中綴じ処理部３５０は、用紙に対して、中綴じを行う。中綴じが指示された場合には、中綴じ処理部３５０により中綴じが行われるとともに、折り処理部３４０により中折り処理が施される。
【００４６】
断裁処理部３６０は、用紙の搬送方向、又は、用紙の搬送方向と直交する方向に沿って、用紙の端部を断裁する。
【００４７】
製本装置３００において折り処理、中綴じ処理、断裁処理が施された用紙は、スタッカー３８０の製本トレイ３８１，３８２（図１参照）に積載されるか、排紙トレイ３９０（図１参照）に排出されるか、又は、ステープル装置４００に搬送される。
【００４８】
ステープル装置４００は、制御部４１０、記憶部４２０、通信部４３０、平綴じ処理部４４０等を備える。
【００４９】
制御部４１０は、ステープル装置４００の各部を統括的に制御する。制御部４１０は、ＣＰＵ、ＲＯＭ、ＲＡＭ等を備えており、ＣＰＵは、ＲＯＭに格納されたプログラムを読み出し、ＲＡＭ内のワークエリアに展開し、プログラムとの協働によって各種処理を実行する。
【００５０】
記憶部４２０は、ハードディスクやフラッシュメモリー等により構成され、ステープル装置４００が実行する各種処理で使用するデータや、ステープル装置４００が実行する各種処理により生成されたデータ等を記憶する。
【００５１】
通信部４３０は、画像形成装置１００、ポストインサート装置２００、製本装置３００との間でデータの送受信を行う。
【００５２】
平綴じ処理部４４０は、用紙束の一又は複数の所定の位置に平綴じを行う。
【００５３】
次に、サンプル用紙出力モードにおいて出力されるサンプル用紙について説明する。
【００５４】
図３に、製本装置３００にて折り処理（三つ折り処理）されたサンプル用紙Ｓの一例を示す。
図３において、用紙の長辺方向について右側及び左側を付し、用紙の短辺方向について上側及び下側を付している。
サンプル用紙Ｓは、用紙の画像が形成されている面が内側になるように三つ折り処理されている。
【００５５】
図４に、図３のサンプル用紙Ｓを展開させた状態の一例を示す。
図４に示すように、サンプル用紙Ｓには、その折り位置に沿って折り線Ｓ１、折り線Ｓ２が印字されている。
ここで、サンプル用紙Ｓの、折り線Ｓ１、折り線Ｓ２により分割された三面のうち、サンプル用紙Ｓの右側端から折り線Ｓ１までの領域を第１面５００、折り線Ｓ１から折り線Ｓ２までの領域を第２面６００、折り線Ｓ２からサンプル用紙Ｓの左側端までの領域を第３面７００とする。
【００５６】
このうち、第１面５００及び第２面６００は、その左右方向の幅を調整する調整対象となる面である。また、第３面７００は、調整対象外となる面である。つまり、第１面５００及び第２面６００の幅（折り線Ｓ１、折り線Ｓ２の位置）を調整すると、第３面７００の幅は一義的に決定する。
【００５７】
第１面５００には、この面の左右方向の範囲を示す範囲情報として、矢印５０１が印字されている。
また、第１面５００には、当該第１面５００が第１の調整対象面であることを示す記号情報として、「１」が印字されている。
【００５８】
また、第１面５００には、この面の幅を変更した場合のイメージを示すイメージ情報として、イメージ画像部５０２が印字されている。
イメージ画像部５０２には、現状のこの面のイメージ図５０２ａと、この面の幅を狭めた場合のイメージ図５０２ｂ及びこの面の幅を広めた場合のイメージ図５０２ｃと、が印字されている。
【００５９】
また、第１面５００には、この面に関する設定を示すテーブル５０３が印字されている。
テーブル５０３は、例えば、機種、用紙、基準値、調整値などの項目を有する。
機種は、用紙処理装置の機種を示す項目である。図４は、機種として「Ｘ−１」が示された例である。
用紙は、用紙のサイズを示す項目である。図４は、用紙として、Ａ４のサイズが示された例である。
基準値は、第１面５００の幅のデフォルト値である。図４は、第１面５００の幅のデフォルト値として、９８ｍｍが示された例である。
調整値は、折り位置が基準位置から変更された場合の変更量、即ち、作業者が、操作部１５０を介して任意で設定した、第１面５００の幅の基準位置からの変更量を示している。図４は、第１面５００の幅のデフォルト値から０．５ｍｍ広げた設定が行われた場合の例である。
【００６０】
また、テーブル５０３において、調整値の項目には、着色がなされている。かかる着色は、識別情報として機能し、これにより、作業者は、サンプル用紙Ｓの第１面５００の実際の幅が、調整値に対応していることを認識することができる。
【００６１】
第２面６００には、この面の左右方向の範囲を示す範囲情報として、矢印６０１が印字されている。
また、第２面６００には、当該第２面６００が第２の調整対象面であることを示す記号情報として、「２」が印字されている。
【００６２】
また、第２面６００には、この面の幅を変更した場合のイメージを示すイメージ情報として、イメージ画像部６０２が印字されている。
イメージ画像部６０２には、現状のこの面のイメージ図６０２ａと、この面の幅を広めた場合のイメージ図６０２ｂ及びこの面の幅を狭めた場合のイメージ図６０２ｃと、が印字されている。
【００６３】
また、第２面６００には、この面に関する設定を示すテーブル６０３が印字されている。
テーブル６０３は、例えば、機種、用紙、基準値、調整値などの項目を有する。
機種は、用紙処理装置の機種を示す項目である。図４は、機種として「Ｘ−１」が示された例である。
用紙は、用紙のサイズを示す項目である。図４は、用紙として、Ａ４のサイズが示された例である。
基準値は、第２面６００の幅のデフォルト値である。図４は、第２面６００の幅のデフォルト値として、１０１ｍｍが示された例である。
調整値は、折り位置が基準位置から変更された場合の変更量、即ち、作業者が、操作部１５０を介して任意で設定した、第２面６００の幅の基準位置からの変更量を示している。図４は、第２面６００の幅に対しては、設定変更がなされていない場合（空欄）の例である。
【００６４】
また、テーブル６０３において、基準値の項目には、着色がなされている。かかる着色は、識別情報として機能し、これにより、作業者は、サンプル用紙Ｓの第２面６００の実際の幅が、基準値に対応していることを認識することができる。
【００６５】
第３面７００には、用紙処理装置の調整箇所を示す調整箇所情報として、画像７０１が印字されている。図４は、製本装置３００の折り処理部３４０の画像が示された例である。
【００６６】
上記したサンプル用紙Ｓにおいて、折り線Ｓ１、折り線Ｓ２、矢印５０１、イメージ画像部５０２、テーブル５０３、矢印６０１、イメージ画像部６０２、テーブル６０３、画像７０１は、調整方法の例である。
なお、上述したが、これらの調整方法は記憶部３２０に記憶されており、サンプ用紙Ｓの出力時に、制御部１１０の制御により読み出されてサンプ用紙Ｓに印字される。
サンプル用紙出力モードにおいてサンプル用紙Ｓを出力した作業者は、サンプル用紙Ｓに印字されたこれらの調整方法を参考にして、製本装置３００の用紙処理の設定の調整作業を行うことができる。
例えば、テーブル５０３、テーブル６０３の記載事項と識別情報を参照して、作業者は、そのサンプル用紙Ｓの設定を知ることができ、そのサンプル用紙Ｓが好ましい場合には、そのサンプル用紙Ｓの設定を用紙処理の設定として決定することができる。
また、例えば、そのサンプル用紙Ｓが好ましくなく、調整する必要がある場合、画像７０１を参照して、作業者は、製本装置３００内部の調整箇所を知ることができ、調整作業の作業性を向上させることができる。
また、これら調整方法は、折り線Ｓ１、折り線Ｓ２と重ならない位置に印字されているため、見易いものとなっている。
【００６７】
なお、ここでは、上記したように、サンプル用紙Ｓに、調整方法として、折り線Ｓ１、折り線Ｓ２、矢印５０１、イメージ画像部５０２、テーブル５０３、矢印６０１、イメージ画像部６０２、テーブル６０３、画像７０１が印字された場合を例示して説明したが、これらのうち、一乃至複数の事項を選択的に印字する構成であっても良い。
【００６８】
また、範囲情報として、矢印５０１、矢印６０１を例示したが、調整対象面の範囲を示し得るものであれば、範囲情報はこの形態に限定されない。
また、識別情報として、テーブル５０３及びテーブル６０３の項目を着色する構成を例示したが、サンプル用紙Ｓの設定を識別し得るものであれば、識別情報はこの形態に限定されない。
また、調整箇所情報として、画像７０１を例示したが、調整箇所を識別し得るものであれば、調整箇所情報はこの形態に限定されない。
【００６９】
次に、図５のフローチャートを用いて、画像形成システム１におけるサンプル用紙出力処理について説明する。この処理の前提として、製本装置３００の記憶部３２０には、調整方法が記憶されている。
【００７０】
先ず、ステップＳ１０において、制御部１１０は、サンプル用紙出力モードの実行を指示する操作信号を受け付ける。
具体的には、作業者が操作部１５０を操作することにより、サンプル用紙出力モードの実行指示が操作部１５０から入力されると、制御部１１０は、操作部１５０から出力された操作信号を受け付ける。
【００７１】
次いで、ステップＳ２０において、制御部１１０は、サンプル用紙を出力しようとする用紙処理の設定を変更するモード（第２モード）であるか否かを判断する。
【００７２】
そして、ステップＳ２０において、第２モードでないという判断がなされた場合（ステップＳ２０：ＮＯ）、続くステップＳ３０において、制御部１１０は、デフォルト値（基準値）を反映したサンプル用紙を出力し、本処理を終了する。
なお、このサンプル用紙には、そのサンプル用紙に対応した調整方法として基準値等が印字されている。
【００７３】
一方、ステップＳ２０において、第２モードであるという判断がなされた場合（ステップＳ２０：ＹＥＳ）、続くステップＳ４０において、制御部１１０は、表示部１６０に、設定画面を表示する。
【００７４】
次いで、ステップＳ５０において、制御部１１０は、設定画面を介してなされた、作業者による設定操作を受け付ける。
具体的に、作業者が設定画面を介して調整値を入力すると、制御部１１０は、製本装置３００に指示信号を出力し、かかる調整値を記憶部３２０に記憶させる。
なお、調整値が複数設定された場合、その全ての調整値を記憶させることができる。
【００７５】
次いで、ステップＳ６０において、制御部１１０は、製本装置３００に指示信号を出力し、調整値を反映したサンプル用紙を出力し、本処理を終了する。
なお、このサンプル用紙には、そのサンプル用紙に対応した調整方法として調整値等が印字されている。
また、調整値が複数設定された場合には、制御部１１０は、各調整値を反映したサンプル用紙を、連続して出力させる。このときサンプル用紙には、そのサンプル用紙の設定を示す識別情報が印字されている。
【００７６】
この後、作業者は、出力されたサンプル用紙を確認し、好ましいサンプル用紙があった場合に、そのサンプル用紙の設定を用紙処理の設定として決定する指示を、操作部１５０を用いて入力する。
【００７７】
以上のように、本実施形態によれば、製本装置３００にサンプル用紙として用紙処理（折り処理）を実行させて出力させる制御部１１０と、製本装置３００が実行可能な用紙処理の設定の調整方法が記憶された記憶部３２０と、を備え、制御部１１０は、サンプル用紙の出力時に記憶部３２０を参照し、当該サンプル用紙に対応した用紙処理に関する調整方法をサンプルに印字させる。
このため、サンプル用紙Ｓを出力すると、当該サンプル用紙Ｓには、そのサンプル用紙Ｓに施された用紙処理の設定の調整方法に関する調整方法が印字されている。
よって、そのサンプル用紙Ｓを参照しつつ、用紙処理の設定の調整作業を行うことができるので、用紙処理装置の調整作業において、作業者の負担を軽減することができる。即ち、用紙処理装置の調整作業を容易にし、調整時間の短縮を図ることができる。
【００７８】
また、本実施形態によれば、制御部１１０は、サンプル用紙を予め設定された基準値から変更して出力した場合、調整方法として、基準値からの変更量が認識可能な調整値をサンプル用紙に印字させる。
このため、サンプル用紙が出力された際、そのサンプル用紙の基準値からの変更量をすぐに把握することができる。
【００７９】
また、本実施形態によれば、サンプル用紙の出力の実行指示を入力する操作部１５０を備え、制御部１１０は、操作部１５０に入力されたサンプル用紙の出力の実行指示に基づいて、製本装置３００にサンプル用紙を出力させる。
このため、作業者の任意のタイミングにて、サンプル用紙の出力を実行することができる。
【００８０】
また、本実施形態によれば、制御部１１０は、調整方法を、サンプル用紙における折り位置と重ならない位置に印字させる。
このため、調整方法を見易くすることができる。
【００８１】
また、本実施形態によれば、制御部１１０は、サンプル用紙における折り位置により分割された複数の面のうち、調整対象となる面に、当該調整対象となる面の範囲を示す範囲情報を印字させる。
このため、調整対象となる面の範囲を把握しやすくすることができる。
【００８２】
また、本実施形態によれば、制御部１１０は、サンプル用紙における折り位置により分割された複数の面のうち、調整対象外となる面に、用紙処理装置の調整箇所を示す調整箇所情報を印字させる。
このため、調整値等を印字する必要のない調整対象外となる面に、付加的な情報として用紙処理装置の調整箇所を示す情報を印字できるため、用紙処理の設定の調整作業をより容易に行うことができる。
【００８３】
また、本実施形態によれば、調整値は複数の値を設定可能であって、調整値が複数の値設定された場合、制御部１１０は、製本装置３００に、複数の調整値を反映したサンプル用紙を連続して出力させる。
このため、複数のサンプル用紙が一度に出力されるので、設定調整及び出力の作業を複数回くり返す手間を軽減することができる。
また、複数のサンプル用紙が一度に出力され、その中から好ましいサンプル用紙を選択できるので、実際のサンプル用紙の出力回数を減らすことができ、確認作業の時間も短縮することができる。
【００８４】
また、本実施形態によれば、調整方法には、そのサンプル用紙の調整値を識別可能とする識別情報が含まれる。
このため、複数のサンプル用紙が一度に出力された場合に、各サンプル用紙が混在するのを防止し、それぞれの違いをすぐに認識することができる。
【００８５】
なお、上記実施形態においては、用紙処理装置としての製本装置３００が、用紙処理として三つ折り処理を行う構成を例示して説明したが、用紙処理装置は製本装置３００に限定されず、用紙処理は三つ折り処理に限定されない。
例えば、用紙の端部を断裁する断裁処理や、パンチ穴を形成する穿孔処理等の用紙処理を行う用紙処理装置であっても良く、その場合でも、各用紙処理の設定の調整に関する調整方法を予め記憶しておき、用紙処理のサンプル用紙を出力する場合に、そのサンプル用紙にその調整方法を印字すれば良い。
【符号の説明】
【００８６】
１  画像形成システム
１００  画像形成装置
１１０  制御部
１２０  記憶部
１５０  操作部
１６０  表示部
３００  製本装置（用紙処理装置）
３１０  制御部
３２０  記憶部
３３０  通信部
３４０  折り処理部
３５０  中綴じ処理部
３６０  断裁処理部
Ｓ  サンプル用紙
Ｓ１  折り線
Ｓ２  折り線
５００  面
５０１  矢印
５０２  イメージ画像部
５０２ａ  イメージ画像
５０２ｂ  イメージ画像
５０２ｃ  イメージ画像
５０３  テーブル
６００  面
６０１  矢印
６０２  イメージ画像部
６０２ａ  イメージ画像
６０２ｂ  イメージ画像
６０２ｃ  イメージ画像
６０３  テーブル
７００  面
７０１  画像
【図１】
2015058636.tif 000003
【図２】
2015058636.tif 000004
【図３】
2015058636.tif 000005
【図４】
2015058636.tif 000006
【図５】
2015058636.tif 000007